(57)【要約】【課題】効率良く録画代行を行うことができる技術を提供する。【解決手段】録画機５（５ａ、５ｂ、５ｃ、・・・）の録画処理部５２は、自装置の録画予約テーブル５３に登録された録画予約情報の録画時間帯と停電時間記憶部５４に記憶された停電時間とが重なる場合、通信部１１を介して、その録画予約情報を録画予約情報管理テーブル２３に登録する。また、録画処理部５２は、録画予約情報管理テーブル２３を参照して、自装置の停電時間と重ならない録画時間帯の他の録画機５の録画予約情報を自装置の録画予約テーブル５３に登録して録画代行を行う。録画代行した録画機５は、録画データを代行録画データ記憶部３３に記憶させる。録画予約情報管理テーブル２３に自装置の録画予約情報を登録した録画機５は、他の録画機５によって代行された録画データを代行録画データ記憶部３３からダウンロードする。【選択図】図１
2013131881.tif 000002
【特許請求の範囲】
【請求項１】
録画予約情報が登録された自装置の録画予約テーブルを検索して、自装置の電源ＯＦＦする時間帯と録画時間帯が重なる前記録画予約情報を録画予約情報管理サーバに送信し、前記録画予約情報管理サーバに登録された録画予約情報に基づいて他録画機により代行して録画された録画データを取得する代行依頼手段を備えた
ことを特徴とする録画機。
【請求項２】
前記録画予約情報管理サーバに登録された録画予約情報を検索して、自装置の電源ＯＦＦする時間帯と録画時間帯が重ならない他録画機の録画予約情報を前記自装置の録画予約テーブルに登録し、前記他録画機の録画予約情報に従って代行して録画する代行予約手段を備えた
ことを特徴とする請求項１に記載の録画機。
【請求項３】
前記他録画機で代行して録画される際の録画オプションが前記代行依頼手段によって登録された前記録画予約情報の録画オプションと一致しない場合に前記他録画機に代行させるか否かをユーザに設定させる録画オプション非一致許容設定手段を備えた
ことを特徴とする請求項１又は２に記載の録画機。
【請求項４】
前記他録画機の録画予約情報に従って代行して録画した前記録画データに対する自装置のユーザの視聴を禁止する視聴禁止手段を備えたことを特徴とする請求項１から３までのいずれか一項に記載の録画機。
【請求項５】
前記自装置の電源ＯＦＦする時間帯は、予め設定された前記自装置の所在地の停電時間帯であることを特徴とする請求項１から４までのいずれか一項に記載の録画機。
【請求項６】
前記自装置の電源ＯＦＦする時間帯は、ユーザによって設定された自動的に電源ＯＦＦする時間帯であることを特徴とする請求項１から５までのいずれか一項に記載の録画機。
【請求項７】
録画予約情報が登録された自装置の録画予約テーブルを参照して、自装置の電源ＯＦＦする時間帯と録画時間帯が重なる前記録画予約情報を録画予約情報管理サーバに送信し、前記録画予約情報管理サーバに登録された録画予約情報に基づいて第２録画機により代行して録画された録画データを取得する第１録画機と、
前記第１録画機からの前記録画予約情報を録画予約情報管理テーブルに登録する録画予約情報管理サーバと、
前記録画予約情報管理サーバに登録された録画予約情報を検索して、自装置の電源ＯＦＦする時間帯と録画時間帯が重ならない前記第１録画機の録画予約情報を前記自装置の録画予約テーブルに登録し、前記第１録画機の録画予約情報に従って代行して録画する第２録画機とを備えた
ことを特徴とする録画代行システム。
【請求項８】
第１録画機から送信される前記第１録画機の電源ＯＦＦする時間帯と録画時間帯が重なる録画予約情報を登録する録画予約情報管理テーブルと、
前記録画予約情報管理テーブルに登録した録画予約情報の中で、第２録画機の電源ＯＦＦする時間帯と録画時間帯が重ならない前記第１録画機の録画予約情報を、前記第２録画機の録画予約テーブルに登録させ、前記第１録画機の録画予約情報に従って前記第２録画機によって代行して録画された録画データを取得して、前記第１録画機に送信する
ことを特徴とする録画予約情報管理サーバ。
【発明の詳細な説明】
【技術分野】
【０００１】
本発明は、自録画機で録画予約された録画予約情報を実行できないときに、他録画機にその録画予約情報に基づく録画処理を代行させる録画機、録画代行システム及び録画予約情報管理サーバに関する。
【背景技術】
【０００２】
近年、身の回りの多くの製品が、発電所から供給される電気によって駆動している。この発電所の電力供給について、何らかの理由で電力需要が逼迫する恐れが生じた場合、地域毎に予め定められた時間帯に停電する計画停電が行われることがある。停電中は、電力が供給されないため、バッテリー等の内部電源を持たない電気製品を使用することができなくなる。そのため、停電になると、例えば、録画機による番組録画も行うことができなくなる。
【０００３】
これについて、録画可能な他装置により録画代行を行わせる技術が知られている。例えば、サーバが、ユーザからの録画依頼に応じて、一括して放送局から放送される番組データを録画して、ユーザからの視聴要求に応じて、録画した番組データを端末に配信する技術が知られている（例えば、特許文献１を参照）。
【先行技術文献】
【特許文献】
【０００４】
【特許文献１】特開２００２−１０１３７０号公報
【発明の概要】
【発明が解決しようとする課題】
【０００５】
しかしながら、特許文献１の技術では、サーバが、一括して録画代行を行っているため、サーバの所在地域が停電になった場合に録画代行できず、また、サーバの所在地域で放送されないＣＨ（チャンネル）の録画代行もできなかった。
【０００６】
本発明は上記課題に鑑みてなされたものであり、効率良く録画代行を行うことができる技術を提供することを目的とする。
【課題を解決するための手段】
【０００７】
本発明の録画機は、録画予約情報が登録された自装置の録画予約テーブルを検索して、自装置の電源ＯＦＦする時間帯と録画時間帯が重なる前記録画予約情報を録画予約情報管理サーバに送信し、前記録画予約情報管理サーバに登録された録画予約情報に基づいて他録画機により代行して録画された録画データを取得する代行依頼手段を備えたことを特徴とする。
また、前記録画予約情報管理サーバに登録された録画予約情報を検索して、自装置の電源ＯＦＦする時間帯と録画時間帯が重ならない他録画機の録画予約情報を前記自装置の録画予約テーブルに登録し、前記他録画機の録画予約情報に従って代行して録画する代行予約手段を備えてもよい。
また、前記他録画機で代行して録画される際の録画オプションが前記代行依頼手段によって登録された前記録画予約情報の録画オプションと一致しない場合に前記他録画機に代行させるか否かをユーザに設定させる録画オプション非一致許容設定手段を備えてもよい。
また、前記他録画機の録画予約情報に従って代行して録画した前記録画データに対する自装置のユーザの視聴を禁止する視聴禁止手段を備えてもよい。
また、前記自装置の電源ＯＦＦする時間帯は、予め設定された前記自装置の所在地の停電時間帯であってもよい。
また、前記自装置の電源ＯＦＦする時間帯は、ユーザによって設定された自動的に電源ＯＦＦする時間帯であってもよい。
本発明の録画代行システムは、録画予約情報が登録された自装置の録画予約テーブルを参照して、自装置の電源ＯＦＦする時間帯と録画時間帯が重なる前記録画予約情報を録画予約情報管理サーバに送信し、前記録画予約情報管理サーバに登録された録画予約情報に基づいて第２録画機により代行して録画された録画データを取得する第１録画機と、前記第１録画機からの前記録画予約情報を録画予約情報管理テーブルに登録する録画予約情報管理サーバと、前記録画予約情報管理サーバに登録された録画予約情報を検索して、自装置の電源ＯＦＦする時間帯と録画時間帯が重ならない前記第１録画機の録画予約情報を前記自装置の録画予約テーブルに登録し、前記第１録画機の録画予約情報に従って代行して録画する第２録画機とを備えたことを特徴とする。
本発明の録画予約情報管理サーバは、第１録画機から送信される前記第１録画機の電源ＯＦＦする時間帯と録画時間帯が重なる録画予約情報を登録する録画予約情報管理テーブルと、前記録画予約情報管理テーブルに登録した録画予約情報の中で、第２録画機の電源ＯＦＦする時間帯と録画時間帯が重ならない前記第１録画機の録画予約情報を、前記第２録画機の録画予約テーブルに登録させ、前記第１録画機の録画予約情報に従って前記第２録画機によって代行して録画された録画データを取得して、前記第１録画機に送信することを特徴とする。
【発明の効果】
【０００８】
本発明によれば、効率良く録画代行を行うことができる。
【図面の簡単な説明】
【０００９】
【図１】本発明に係る実施形態の録画代行システムの全体を示すシステム構成図である。
【図２】図１に示す停電情報管理サーバが有する停電情報管理テーブルの一例である。
【図３】図１に示す録画予約情報管理サーバが有する録画予約情報管理テーブルの一例である。
【図４】図１に示す録画機が有する録画予約テーブルの一例である。
【図５】図１に示す録画機が停電時間記憶部に停電時間を設定する際の停電グループ設定画面の一例である。
【図６】図１に示す録画機の録画代行メニュー設定画面の一例である。
【図７】図１に示す録画代行システムの処理の流れを示すフローチャートである。
【図８】図１に示す録画代行システムの処理の流れを示すフローチャートである。
【発明を実施するための形態】
【００１０】
以下、図を参照して本発明の実施形態を詳細に説明する。
【００１１】
図１に示すように、本実施形態の録画代行システムＸは、停電情報管理サーバ１と録画予約情報管理サーバ２と録画データ保存サーバ３と複数の５ａ，５ｂ，５ｃ，・・・とを備えている。各録画機５ａ，５ｂ，５ｃ，・・・と、停電情報管理サーバ１、録画予約情報管理サーバ２及び録画データ保存サーバ３とは、インターネット４を介して接続されている。
【００１２】
以下では、複数の録画機５ａ，５ｂ，５ｃ，・・・を区別する必要がない場合、単に録画機５と呼んで説明する。また、複数の録画機５の内、録画予約情報管理サーバ２に録画予約情報を送信した録画機５を「代行依頼機」と呼び、録画予約情報管理サーバ２の録画予約情報管理テーブル２３に登録された録画予約情報に基づいて代行録画を行う録画機５を「代行予約機」と呼ぶ。
【００１３】
停電情報管理サーバ１は、通信部１１と制御部１２と停電情報管理テーブル１３とを備えている。制御部１２は、通信部１１を介して停電情報管理テーブル１３に登録された停電情報の提供や停電情報の更新等を行う。停電情報管理テーブル１３は、停電情報管理サーバ１の不図示の記憶部に記憶されており、データベース等で構成されてもよい。停電情報管理テーブル１３には、計画停電等による地域毎の停電予定が登録される。
【００１４】
図２に示すように、停電情報管理テーブル１３には、停電グループと郵便番号と停電開始日時と停電終了日時とが関連付けられて登録されている。
停電グループは、停電時間が同一のグループであり、通常、地域毎に定められる。
郵便番号は、停電グループに対応する地域の郵便番号であり、複数設定されてもよい。
停電開始日時は、停電の開始日時であり、複数設定されてもよい。
停電終了日時は、停電の終了日時であり、複数設定されてもよい。
【００１５】
図１に戻り、録画予約情報管理サーバ２は、通信部２１と制御部２２と録画予約情報管理テーブル２３とを備えている。制御部２２は、通信部２１を介して、代行録画依頼を行う録画機５から番組の録画予約に関する録画予約情報を取得して、管理ＩＤを付加して録画予約情報管理テーブル２３に登録する。録画予約情報管理テーブル２３は、録画予約情報管理サーバ２の不図示の記憶部に記憶されており、データベース等で構成されてもよい。録画予約情報管理テーブル２３には、代行録画依頼を行う複数の録画機５からの録画予約情報が一括して登録される。
【００１６】
図３に示すように、録画予約情報管理テーブル２３には、管理ＩＤと録画依頼日時とメーカー名と型番とネットワーク名とＣＨ名と番組名と録画開始日時と録画終了日時と録画オプション情報と録画状態と録画オプション非一致許容設定と代行予約機決定日時とが関連付けられて登録される。なお、図３では、図面の大きさの都合上、管理ＩＤ〜番組名と録画開始日時〜代行予約機決定日時とを分けて示している。
【００１７】
管理ＩＤは、録画予約情報管理テーブル２３に登録される録画予約情報毎に一意に割り振られるＩＤである。例えば、管理ＩＤは、録画予約情報管理テーブル２３に登録される録画予約情報の録画依頼日時順に１から割り振られてもよい。
録画依頼日時は、録画予約情報管理サーバ２が代行依頼機から録画予約情報を取得した日時である。
メーカー名、型番は、代行依頼機のメーカー名、型番である。
ネットワーク名は、録画予約された番組が放送されるネットワーク名であり、地上デジタルやＢＳ，ＣＳ等である。
ＣＨ名、番組名は、録画予約された番組のＣＨ名（放送局名）、番組名である。
【００１８】
録画開始日時、録画終了日時は、録画予約された番組の放送開始日時、放送終了日時である。
録画オプション情報は、録画時の録画画質や録画音質等に関する録画設定情報である。基本的に、録画オプション情報は、録画機５の型番毎に設定内容（設定値やオプション数等）が異なる。
【００１９】
録画状態は、録画予約情報管理テーブル２３に登録された録画予約情報における現在の状況を示す。録画状態には、代行予約機検索中、代行予約機決定済、予約取消、録画完了、アップロード完了、録画失敗等がある。
【００２０】
代行予約機検索中は、録画予約情報管理テーブル２３に登録された録画予約情報を代行する代行予約機が決定していない状態である。一度代行予約機が決定したが、何らかの理由でその代行予約機が録画代行を行えなくなり、録画予約が取り消された場合も代行予約機検索中になる。
代行予約機決定済は、代行予約機が決定した状態である。
予約取消は、代行依頼機側でその録画予約が取り消された又は代行依頼機の停電時間が変化した等の理由で、代行予約機による録画が不要となった状態である。代行予約機側ではサーバ上の録画状態を定期的に監視しており、予約取消となった録画予約情報については代行予約機側での録画予約もキャンセルされる。
録画完了は、代行予約機での録画が完了した状態である。
アップロード完了は、代行予約機によって録画データが録画データ保存サーバ３にアップロードされた状態である。
録画失敗は、何らかの理由により代行予約機での録画に失敗した状態である。
【００２１】
録画オプション非一致許容設定は、代行依頼機の録画予約情報の代行予約に関する録画代行メニューの設定値である。例えば、録画予約した際の録画オプション通りに録画されなくてもよい場合「許容する」となり、録画オプションが一致しない録画を許容しない場合は「許容しない」となる。
【００２２】
代行予約機決定日時は、代行予約機が決定した日時である。後述するが、各録画機５は、代行予約機となることをユーザによって許可されている場合、インターネット４を介して録画予約情報管理サーバ２の録画予約情報管理テーブル２３を定期的に検索し、代行予約可能な録画予約情報があれば、代行予約する旨を録画予約情報管理サーバ２に通知している。
【００２３】
図１に戻り、録画データ保存サーバ３は、通信部３１と制御部３２と代行録画データ記憶部３３とを備えている。制御部３２は、通信部３１を介して代行予約機から取得した録画データと録画データに対応する管理ＩＤとを関連付けて代行録画データ記憶部３３に記憶する。また、制御部３２は、通信部３１を介して、代行依頼機から録画データのダウンロード要求を受けると、代行依頼機から取得する管理ＩＤに対応した録画データを代行録画データ記憶部３３から取得し、代行依頼機にダウンロードさせる。
【００２４】
録画機５は、通信部５１と録画処理部５２と録画予約テーブル５３と停電時間記憶部５４と録画データ記憶部５５とを備えている。録画処理部５２は、録画予定の番組情報等と録画画質等の録画オプションとを録画予約情報として録画予約テーブル５３に登録し、録画予約を行う。録画オプションは、ユーザ操作により録画予約の度に設定されてもよいし、録画オプションとして予め設定されたデフォルト設定が適用されてもよい。録画処理部５２は、録画予約テーブル５３に登録された録画予約情報に従って録画処理を実行し、録画した番組を録画データ記憶部５５に記憶させる。録画予約テーブル５３は、録画機５の不図示の記憶部に記憶されており、データベース等で構成されてもよい。
【００２５】
図４に示すように、録画予約テーブル５３には、識別ＩＤと録画予約実施日時とネットワーク名とＣＨ名と番組名と録画開始日時と録画終了日時と録画オプション情報とが関連付けられて登録されている。
【００２６】
識別ＩＤは、識別情報と録画予約情報管理テーブル２３に登録されている録画予約情報の管理ＩＤとで構成される。識別情報には、代行依頼した録画予約情報であることを示す「Ｓ」、代行録画する録画予約情報であることを示す「Ｒ」、又は自装置の録画予約情報であり且つ代行録画する録画予約情報であることを示す「Ｗ」がある。例えば、「Ｒ−００１」は、この録画機５が録画予約情報管理テーブル２３の管理ＩＤ「００１」の録画予約情報について、録画代行することを示している。また、「Ｓ−００３」は、この録画機５が録画予約情報管理テーブル２３の管理ＩＤ「００３」の録画予約情報について、録画依頼したことを示している。「Ｗ−００４」は、この録画機５が自らのために録画する録画予約情報と録画代行する録画予約情報（録画予約情報管理テーブル２３の管理ＩＤ「００４」）とが重複することを示す。自らのためだけに録画する録画予約情報、すなわち、録画予約情報管理テーブル２３に登録されていない自装置の録画予約情報については、識別ＩＤが付加されない。
【００２７】
録画予約実施日時は、録画機５が録画予約を受け付けた日時である。
ネットワーク名は、録画予約された番組が放送されるネットワーク名である。
ＣＨ名、番組名、録画開始日時、録画終了日時は、録画予約された番組に関する情報であり、それぞれＣＨ名、番組名、放送開始日時、放送終了日時に対応する。
録画オプション情報は、録画時の録画画質や録画音質等に関する録画設定情報である。
【００２８】
図１に戻り、録画機５の停電時間記憶部５４には、録画機５の所在地の郵便番号と計画停電等により録画機５の電源がＯＦＦになる時間である停電時間情報とが記憶されている。図５を参照して、郵便番号と停電時間情報とが停電時間記憶部５４に設定される様子を説明する。
【００２９】
まず、図５（ａ）に示すように、録画処理部５２は、ユーザのリモコン操作等に応じて、録画機５の所在地の郵便番号を入力させる郵便番号入力画面を不図示の表示部に表示させる。この表示部は、録画機５に備えられてもよいし、録画機５に接続されたテレビに備えられてもよい。録画処理部５２は、郵便番号入力画面を介して、ユーザによって入力された郵便番号を取得して停電時間記憶部５４に記憶させる。なお、録画機５の初期設定等で既に郵便番号が設定されている場合、その郵便番号が停電時間記憶部５４に記憶されてもよい。
【００３０】
次に、録画処理部５２は、インターネット４を介して停電情報管理サーバ１にアクセスし、停電情報管理テーブル１３を参照して、郵便番号に対応する停電グループ及び停電日時を取得する。録画処理部５２は、取得した停電グループ及び停電グループの停電日時を郵便番号に関連付けて停電時間記憶部５４に記憶させ、停電情報の設定を完了させる（図５（ｂ））。なお、録画処理部５２は、ユーザに停電グループを入力させ、インターネット４を介して、入力された停電グループに対応する停電時間を停電情報管理テーブル１３から取得してもよい。録画処理部５２は、ユーザ操作に応じて、録画予約テーブル５３に登録された録画予約情報の録画時間帯が停電時間記憶部５４に記憶された停電時間と重なるか否かを通知してもよい。
【００３１】
停電グループや停電時間の変更等、停電情報管理テーブル１３の登録内容が更新された場合、停電情報管理サーバ１によって各録画機５に停電情報が変更された旨が通知される。録画処理部５２は、停電情報が変更された旨の通知を取得すると、図５（ｃ）に示すように、停電グループが変更された旨を通知して、ユーザに停電グループの再設定を行うよう促してもよい。
【００３２】
また、録画処理部５２は、代行録画に関する代行録画メニューを有する。図６は、代行録画メニューの一例である。代行録画メニューのメニュー項目には、「サーバへの録画予約情報送信」、「録画オプション非一致許容設定」、「サーバ上の録画予約情報検索」がある。
【００３３】
「サーバへの録画予約情報送信」は、録画予約テーブル５３に登録された録画予約情報の録画時間帯（録画開始日時から録画終了日時まで）が停電時間記憶部５４に記憶された停電時間と重なる場合に、その録画予約情報を録画予約情報管理サーバ２に送信するか否かの設定である。「送信する」に設定されると、録画機５のメーカー名及び型番と後述する録画オプション非一致許容設定値とが停電時間と重なる録画予約情報に含められて録画予約情報管理サーバ２に送信され、録画予約情報管理テーブル２３に登録される。「送信しない」に設定されると、停電時間に重なる録画番組の録画は行われない。
【００３４】
「録画オプション非一致許容設定」は、録画予約した際の自装置の録画オプション情報と一致しない場合でも代行予約機で録画するか否かの設定である。「録画オプション非一致許容設定」は、「サーバへの録画予約情報送信」が「送信する」に設定されている場合のみ設定可能となる。「許容する」に設定されると、代行予約機の録画オプションに従って録画され、録画予約した際の録画オプション通りに録画できない場合がある。しかし、「許容する」に設定されると、代行依頼機と代行予約機の型番が一致しなくてもよいので、代行予約機が見つかりやすくなる。「許容しない」に設定されると、録画予約した際の録画オプション通りに録画できない場合、代行予約機による代行録画が行われない。
【００３５】
「サーバ上の録画予約情報検索」は、代行予約機となって録画予約情報管理サーバ２の録画予約情報管理テーブル２３に登録された録画予約情報を検索する否かの設定である。「検索する」に設定されると、録画機５が他の録画機５のために代行録画可能な録画予約情報を録画予約情報管理テーブル２３で検索して、代行録画を行う。「検索しない」に設定されると、録画機５が他の録画機５のために代行録画可能な録画予約情報を録画予約情報管理テーブル２３で検索せず、他の録画機５のための代行録画を行わない。
【００３６】
具体的に、図７及び図８を参照して、録画代行システムＸの処理の流れを説明する。なお、録画機５は、自装置の録画能力を超えて録画予約を行うことはできないものとする。例えば、録画機５は、自装置の録画容量を超えて録画予約したり、自装置が録画処理に用いることができるチューナー数を超えて同時に複数番組を録画予約したりすることができないものとする。なお、以下の処理では、代行予約機が、録画代行可能な十分な録画容量を有するとともに、チューナーを１つ持っている場合を例に説明する。また、代行依頼機及び代行予約機には、予め、郵便番号と郵便番号に対応する停電グループ及び停電時間とが設定されているものとする。
【００３７】
まず、図７のステップＳ１１で、代行依頼機の録画処理部５２は、録画予約テーブル５３に登録された録画予約情報について、録画時間が停電時間記憶部５４に記憶された停電時間と重なるか定期的に検索する。ステップＳ１２で、代行依頼機の録画処理部５２は、停電時間と重なる録画予約情報が録画予約テーブル５３に一つ以上存在するか判定する。ステップＳ１２でＮｏの場合、代行依頼機の録画処理部５２は、ステップＳ１１に処理を戻す。
【００３８】
一方、ステップＳ１２でＹｅｓの場合、ステップＳ１３で、代行依頼機の録画処理部５２は、予め設定された録画代行メニューにおいて、録画予約情報の送信ＯＫであるか、すなわち、「サーバへの録画予約情報送信」が「送信する」に設定されているか判定する。ステップＳ１３でＮｏの場合、代行依頼機の録画処理部５２は、ステップＳ１１に処理を戻す。
【００３９】
一方、ステップＳ１３でＹｅｓの場合、ステップＳ１４で、代行依頼機の録画処理部５２は、停電時間と重なる録画予約情報にメーカー名及び型番と録画オプション非一致許容設定値とを含めて録画予約情報管理サーバ２に送信する。ステップＳ１５で、録画予約情報管理サーバ２は、録画予約情報管理テーブル２３に録画予約情報に管理ＩＤを割り振って登録する。ステップＳ１６で、代行依頼機の録画処理部５２は、送信した録画予約情報の管理ＩＤを録画予約情報管理サーバ２から受信する。ステップＳ１７で、録画代行機の録画処理部５２は、録画依頼を行ったことを示す識別情報「Ｓ」を管理ＩＤに組み合わせた識別ＩＤを、録画予約情報と関連付けて録画予約テーブル５３に登録する。ステップＳ１８で、録画代行機の録画処理部５２は、この録画予約情報の録画情報管理テーブル２３の録画状態を「代行予約機検索中」に設定する。
【００４０】
一方、図８で、代行予約機では、ステップＳ１９で、録画処理部５２が、サーバ上の録画予約情報検索ＯＫであるか、すなわち、代行録画メニューで「サーバ上の録画予約情報検索」が「検索する」に設定されているか判定する。ステップＳ１９でＮｏの場合、録画処理部５２はステップＳ１９に処理を戻す。
【００４１】
ステップＳ１９でＹｅｓの場合、ステップＳ２０で、代行予約機の録画処理部５２は、録画予約情報管理サーバ２の録画予約情報管理テーブル２３の録画予約情報を定期的に検索する（図７のステップＳ２０も参照）。ステップＳ２１で、代行予約機の録画処理部５２は、録画予約情報管理サーバ２から録画予約情報を取得する（図７のステップＳ２１も参照）。ステップＳ２２で、代行予約機の録画処理部５２は、録画予約情報管理サーバ２から取得した録画予約情報について、録画状態が「代行予約機検索中」の録画予約情報があるか判定する。ステップＳ２２でＮｏの場合、録画処理部５２はステップＳ１９に処理を戻す。
【００４２】
一方、ステップＳ２２でＹｅｓの場合、ステップＳ２３で、代行予約機の録画処理部５２は、録画開始日時が現在日時に達していないか、すなわち、録画開始日時が現在日時より後であるか判定する。ステップＳ２３でＮｏの場合、ステップＳ２４で、代行予約機の録画処理部５２は、録画予約情報管理テーブル２３の当該録画予約情報の録画状態を「録画失敗」に設定して（図７のステップＳ２４も参照）、ステップＳ２５で、ステップＳ１９に処理を戻す。
【００４３】
一方、ステップＳ２３でＹｅｓの場合、ステップＳ２６で、代行予約機の録画処理部５２は、録画予約情報の録画時間帯（録画開始日時から録画終了日時まで）が停電時間記憶部５４に記憶された停電時間と重なるか判定する。ステップＳ２６でＹｅｓの場合、代行予約機の録画処理部５２は、ステップＳ１９に処理を戻す。
【００４４】
一方、ステップＳ２６でＮｏの場合、ステップＳ２７で、代行予約機の録画処理部５２は、自装置が有するＥＰＧ（電子番組表）等の番組情報のＣＨに、録画依頼機の録画予約情報の録画ＣＨがあるか判定する。ステップＳ２７でＮｏの場合、代行予約機の録画処理部５２は、録画番組が自装置の所在地で放送されていない又は自装置の録画可能なネットワークに対応していない等の番組であるので、録画代行不可能と判定して、ステップＳ１９に処理を戻す。
【００４５】
一方、ステップＳ２７でＹｅｓの場合、ステップＳ２８で、代行予約機の録画処理部５２は、自装置が代行依頼機と同一メーカー・同一型番であるか判定する。ステップＳ２８でＮｏの場合、代行予約機は、代行依頼機と異なるメーカー・型番であるため、代行依頼機の録画オプションに対応していない虞がある。そのため、ステップＳ２８でＮｏの場合、ステップＳ２９で、代行予約機の録画処理部５２は、代行依頼機の録画予約情報の録画オプション非一致許容設定が許容であるか判定する。ステップＳ２９でＮｏの場合、代行予約機の録画処理部５２はステップＳ１９に処理を戻す。一方、ステップＳ２９でＹｅｓの場合、ステップＳ３０で、代行予約機の録画処理部５２は、代行依頼機の録画予約情報の録画オプションに類似する自装置の録画オプションで録画するよう録画依頼機の録画予約情報を自装置の録画予約テーブル５３に登録して録画予約を行い、ステップＳ３３に処理を進める。
【００４６】
一方、ステップＳ２８でＹｅｓの場合、ステップＳ３１で、代行予約機の録画処理部５２は、自装置の録画予約テーブル５３に代行依頼機の録画予約情報の録画時間帯と重なる予約済みの録画予約情報が登録されているか判定する。ステップＳ３１でＮｏの場合、ステップＳ３２で、代行予約機の録画処理部５２は、代行依頼機の録画オプション通りに録画するよう自装置の録画予約テーブル５３に代行依頼機の録画予約情報を登録して録画予約を行う。そして、ステップＳ３３で、代行依頼機の録画処理部５２は、代行依頼であることを示す識別情報「Ｒ」と代行依頼機の録画予約情報の管理ＩＤとで構成される識別ＩＤを、自装置の録画予約テーブル５３に登録した代行依頼機の録画予約情報に関連付けて記憶する。そして、代行予約機の録画処理部５２は、ステップＳ３９に処理を進める。
【００４７】
一方、ステップＳ３１でＹｅｓの場合、ステップＳ３４で、代行予約機の録画処理部５２は、自装置の予約済みの録画予約情報が代行依頼機の録画予約情報の録画時間帯と全部重複するのか判定する。ステップＳ３４でＮｏの場合、すなわち、自装置の予約済みの録画予約情報が代行依頼機の録画予約情報の録画時間帯と一部重複する場合、代行予約機の録画処理部５２は、ステップＳ１９に処理を戻す。
【００４８】
ステップＳ３４でＹｅｓの場合、すなわち、自装置の予約済みの録画予約情報が代行依頼機の録画予約情報の録画時間帯と全部重複する場合、ステップＳ３５で、代行予約機の録画処理部５２は、自装置の予約済みの録画予約情報のＣＨと代行依頼機の録画予約情報の録画ＣＨとが同じか判定する。ステップＳ３５でＮｏの場合、代行予約機の録画処理部５２は、ステップＳ１９に処理を戻す。
【００４９】
一方、ステップＳ３５でＹｅｓの場合、ステップＳ３６で、代行予約機の録画処理部５２は、代行依頼機の録画予約情報と重複する自装置の録画予約情報の録画オプションと代行依頼機の録画オプションとが一致するか判定する。ステップＳ３６でＹｅｓの場合、代行予約機の録画処理部５２はステップＳ３８に処理を進める。一方、ステップＳ３６でＮｏの場合、ステップＳ３７で、代行予約機の録画処理部５２は、代行依頼機の録画予約情報の録画オプション非一致許容設定が許容であるか判定する。ステップＳ３７でＮｏの場合、代行予約機の録画処理部５２はステップＳ１９に処理を戻す。一方、ステップＳ３７でＹｅｓの場合、代行予約機の録画処理部５２はステップＳ３８に処理を進める。
【００５０】
ステップＳ３８で、代行予約機の録画処理部５２は、代行依頼機の録画予約情報を自装置の録画予約情報と重複して録画代行することを示す識別情報「Ｗ」と管理ＩＤとを組み合わせた識別ＩＤを、録画予約情報に関連付けて録画予約テーブル５３に関連付けて登録する。そして、ステップＳ３９で、代行予約機の録画処理部５２は、録画予約情報管理テーブル２３の代行依頼機の録画予約情報の録画状態を「代行予約機決定済」に設定する（図７のステップＳ３９も参照）。
【００５１】
一方、図７で、代行依頼機では、ステップＳ４０で、録画処理部５２が、自装置の録画予約テーブル５３において、録画依頼を行ったことを示す識別情報「Ｓ」が付いた識別ＩＤが関連付けられた録画予約情報について、その管理ＩＤをキーとして録画予約情報管理テーブル２３の録画状態を定期的に検索する。ステップＳ４１で、代行依頼機の録画処理部５２は、録画情報管理サーバ２から自装置の録画予約情報の録画状態を取得する。
【００５２】
ステップＳ４２で、代行依頼機の録画処理部５２は、録画依頼を行った録画予約情報の録画状態が代行予約機決定済であるか判定する。ステップＳ４２でＮｏの場合、代行依頼機の録画処理部５２はステップＳ４０に処理を戻す。一方、ステップＳ４２でＹｅｓの場合、ステップＳ４３で、代行依頼機の録画処理部５２は、録画予約が完了した旨をユーザに通知する。なお、上記のステップＳ３９で、代行予約機の録画処理部５２により、代行依頼機の録画オプション通りに録画予約したか否かについて、併せて録画状態として設定させてもよい。この場合、ステップＳ４３で、代行依頼機が、録画予約が完了した旨をユーザに通知する際に、録画オプション通りに録画予約が完了しているのか否かを併せて通知することができる。
【００５３】
その後、代行予約機では、図８のステップＳ４４で、録画処理部５２が、自装置の録画予約テーブル５３の録画予約情報に従って、録画時刻になると録画を実行する。ステップＳ４５で、代行予約機の録画処理部５２は、自装置の録画予約テーブル５３で代行依頼であることを示す「Ｒ」又は「Ｗ」の付いた識別ＩＤの録画を実行し終えると、その管理ＩＤに対応する録画予約情報管理テーブル２３の録画状態を「録画完了」に設定する（図７のステップＳ４５も参照）。そして、ステップＳ４６で、代行予約機の録画処理部５２は、代行録画した録画データを管理ＩＤと関連付けて録画データ保存サーバ３にアップロードする（図７のステップＳ４６も参照）。これを受けて、図７のステップＳ４７で、録画データ保存サーバ３は、代行予約機からアップロードされた録画データと管理ＩＤとを関連付けて代行録画データ記憶部３３に記憶する。代行予約機の録画処理部５２は、録画データ保存サーバ３に録画データをアップロードし終えると、図８のステップＳ４８で、その管理ＩＤに対応する録画予約情報管理テーブル２３の録画状態を「アップロード完了」に設定する（図７のステップＳ４８も参照）。
【００５４】
一方、代行依頼機では、図７のステップＳ４９で、録画処理部５２が、自装置の録画予約テーブル５３において、録画依頼を行ったことを示す識別情報「Ｓ」が付いた識別ＩＤの録画予約情報について、管理ＩＤをキーとして録画予約情報管理テーブル２３の録画状態を定期的に検索している。ステップＳ５０で、代行依頼機の録画処理部５２は、録画予約情報管理サーバ２から代行依頼した録画予約情報の録画状態を取得する。ステップＳ５１で、代行依頼機の録画処理部５２は、録画状態がアップロード完了であるか判定する。ステップＳ５１でＮｏの場合、代行依頼機の録画処理部５２はステップＳ４９に処理を戻す。
【００５５】
一方、ステップＳ５１でＹｅｓの場合、ステップＳ５２で、代行依頼機の録画処理部５２は、録画データ保存サーバ３に対して、管理ＩＤに関連付けられた録画データのダウンロード要求を行う。ステップＳ５３で、代行依頼機の録画処理部５２は、録画データ保存サーバ３から録画データをダウンロードする。ステップＳ５４で、代行依頼機の録画処理部５２は、録画データのダウンロードが完了した旨をユーザに通知して、処理を終了する。
【００５６】
このように、本実施形態によれば、録画機５は、自装置の停電時間に重なる録画予約情報がある場合、自動的にその録画予約情報を録画予約情報管理サーバ２に登録して、録画依頼を行う。他の録画機５は、録画予約情報管理サーバ２に登録された録画予約情報を検索し、自装置の停電時間に重ならず、録画代行可能な録画予約情報がある場合、その録画予約情報を自装置の録画予約テーブル５３に登録し、録画を代行する。他の録画機５によって録画代行された録画データは、録画データ保存サーバ３にアップロードされる。録画依頼を行った録画機５は、録画データ保存サーバ３から録画データをダウンロードする。これにより、ユーザは、停電時間を気にすることなく、自装置の録画機５で録画予約を行って録画データを取得することができる。
【００５７】
また、本実施形態によれば、全国各地のユーザによって所有される各録画機５間で録画代行を行うことにより、代行予約を専門に行うために予め全国各地に設置させた専用代行予約機となる録画機５に録画代行させるよりも、全国各地の放送網を効率良く網羅することができる。なお、予備として専用代行予約機となる録画機５が予め複数設置されていてもよい。また、本実施形態では、各録画機５が、録画情報予約サーバ２又は代行録画データ保存サーバ３にアクセスして、管理ＩＤをキーとして録画予約情報又は録画データを特定する構成としたので、録画情報予約サーバ２又は代行録画データ保存サーバ３に各録画機５を特定する個人情報を保存する必要がなく、個人情報の漏洩を気にせずに済む。
【００５８】
なお、上記処理において、代行依頼機は、ユーザ操作等により、代行依頼した録画予約情報を自装置の録画予約テーブル５３から取り消した場合、録画予約情報管理テーブル２３を参照して、管理ＩＤに対応する録画予約情報の録画状態を「予約取消」に設定する。停電時間の変更等により停電時間に重ならなくなり代行依頼が不要になった場合も、代行依頼機により録画予約情報管理テーブル２３の録画状態が「予約取消」に設定される。また、ユーザ操作等により、代行依頼機が、代行依頼した録画予約情報の録画オプション等を変更した場合も、録画予約情報管理テーブル２３の録画状態を「予約取消」に設定する。この場合、代行依頼機は、変更後の録画予約情報を新たに録画予約情報管理サーバ２に送信する。これにより、変更後の録画予約情報は、新たに管理ＩＤが割り振られて録画状態が「代行予約機検索中」の録画予約情報として録画予約情報管理テーブル２３に登録される。
【００５９】
また、代行予約機は、定期的に録画予約情報管理テーブル２３を検索しており、自装置の録画予約テーブル５３で「Ｒ」又は「Ｗ」の付いた識別ＩＤの録画予約情報の録画状態が「予約取消」になっていた場合、「Ｒ」の録画予約情報を自装置の録画予約テーブル５３から取り消し、「Ｗ」の付いた識別ＩＤを削除する。また、代行予約機が、「Ｒ」の付いた識別ＩＤの録画予約情報の録画時間帯と重なる時間帯に、後からユーザ操作等により、新たな録画予約情報を自装置の録画予約テーブル５３に登録したとする。この場合、代行予約機は、この「Ｒ」の付いた録画予約情報を自装置の録画予約テーブル５３から取り消すとともに、録画予約情報管理テーブル２３を参照して、その管理ＩＤに対応する録画予約情報の録画状態を「代行予約機検索中」に設定し、代行予約機が決定していない状態に戻す。そのため、代行依頼機の録画予約情報が代行予約機の録画予約テーブル５３に登録されていても、代行予約機自身の録画予約が優先される。
【００６０】
また、代行予約機は、自装置の録画予約テーブル５３で識別ＩＤに「Ｒ」が付いた録画予約情報に対応する録画データを再生するように、自装置のユーザから指示された場合、他人の録画データであるため再生を行わない旨を通知して再生を禁止し、録画データをユーザに視聴させない。また、代行予約機は、ユーザ操作により録画予約情報を表示するよう指示された場合に、識別ＩＤに「Ｒ」が付いた録画予約情報を表示させないようにしてもよい。識別ＩＤに「Ｒ」が付いた録画予約情報は、他人のために録画するものであり、著作権上の観念から代行予約機のユーザに視聴させることが望ましくないからである。
【００６１】
なお、上記実施形態では、停電時間と重なる録画予約情報についてのみ録画代行させたが、各録画機５間で重複する録画予約情報を１台の録画機５により代表して録画代行させてもよい。また、代行依頼機となった録画機５の録画予約テーブル５３に、代行録画されることとなった録画予約情報の録画時間帯に他の録画予約情報が登録されていない場合、その録画時間帯に代行依頼機の電源をＯＦＦにさせ、消費電力を削減させるようにしてもよい。
【００６２】
また、何らかの理由で録画失敗となる可能性を減らすため、代行依頼された１つの録画予約情報に対し、２台の代行予約機で代行録画するよう構成されてもよい。この場合、代行予約機は、録画状態が「代行予約機検索中」又は「代行予約機１台決定済」の録画予約情報について代行録画可能か判定すればよい。代行録画可能であれば、代行予約機は、自装置の録画予約テーブル５３に代行依頼機の録画予約情報を登録し、録画予約情報管理テーブル２３を参照して、その録画予約情報の録画状態を「代行予約機１台決定済」又は「代行予約機２台決定済」に設定すればよい。
【００６３】
また、代行依頼機は、代行依頼した録画予約情報について、停電時間の所定時間前（例えば、３０分前等）になっても録画状態が代行予約機検索中である場合に、その旨をユーザに通知してもよい。その際に、録画機５は、録画オプション非一致許容設定が「許容しない」になっている場合、代行予約機を見つけやすくするため、録画オプション非一致許容設定を「許容する」に変更するようユーザに促してもよい。
【００６４】
なお、録画機５の録画処理部５２は、停電時間と関係なく、録画機５の電源をＯＦＦにさせる時間をユーザに設定させてもよい。この場合、ユーザにより手動で設定された電源ＯＦＦ時間も停電時間記憶部５４に記憶される。録画処理部５２は、録画予約テーブル５３に登録された録画予約情報の中で、録画時間帯が停電時間記憶部５４に記憶された電源ＯＦＦ時間に重なる録画予約情報についても、自動的に録画予約情報管理サーバ２に送信して、他の録画機５による録画代行を行わせてもよい。
【００６５】
また、代行予約機は、代行依頼機の録画予約情報のＣＨについて、自装置の所在地域に対応する放送局のＣＨであるか、郵便番号と郵便番号の地域で放送可能な放送局とが関連付けられて登録された放送局情報テーブルを参照して判定してもよい。放送局情報テーブルは、録画情報管理サーバ２に設けられてもよい。放送局情報テーブルでは、各放送局が最小の放送局単位で登録され、郵便番号に対応する放送地域のキー局、準キー局、ローカル局が個々に区別されて登録される。代行予約機は、自装置の所在地域に対応する放送局のＣＨであるかを判定する際に、放送局情報テーブルを参照し、自装置の郵便番号の地域で放送されている放送局のＣＨであるときに、代行可能であると判定してもよい。
【００６６】
また、上記実施形態では、各録画機５が、録画予約情報管理テーブル２３を検索して、自装置が代行予約機となれるか判定するものとしたが、録画予約情報管理サーバ２が、代行予約機となる録画機５を検索して代行予約機を決定し、代行予約機によって代行して録画された録画データを代行依頼機に送信してもよい。例えば、録画予約情報管理サーバ２は、定期的に録画予約情報管理テーブル２３の録画予約情報を検索し、録画状態が「代行予約機検索中」の録画予約情報について、例えばブロードキャスト等によりインターネット４を介して各録画機５に代行予約機となれるか問い合わせを行ってもよい。この場合、録画予約情報管理サーバ２は、各録画機５に対して、録画時間帯が停電時間と重なるかや、番組情報に録画ＣＨがあるか、代行依頼機と同一メーカー・同一型番であるか、録画オプションが一致するか等の上記実施形態で録画機５が代行予約機となれるか判定するために行っていた処理を問い合わせればよい。そして、録画予約情報管理サーバ２は、代行予約機となれる録画機５を見つけると、その録画機５に代行依頼機の録画予約情報を送信して録画予約テーブル５３に登録させ、録画予約情報管理テーブル２３の録画状態を「代行予約機決定済」に変更する。録画予約情報管理サーバ２は、代行依頼機の録画予約情報に従って代行予約機により代行して録画が行われると、その録画データを取得して代行依頼機に送信すればよい。各録画機５がその他に行っていた処理についても、録画予約情報管理サーバ２が適宜主導して行ってもよい。なお、この場合、録画予約情報管理サーバ２は、各録画機５のＭＡＣアドレスやＩＰアドレスを予め有しているものとする。
【００６７】
本発明は上述した実施の形態に限定されるものではなく、本発明の趣旨を逸脱しない範囲で種々様々に変更が可能であることは言うまでもない。例えば、停電情報管理サーバ１と録画予約情報管理サーバ２と録画データ保存サーバ３とは一体として構成されてもよい。また、録画予約情報管理サーバ２が、代行予約機からの録画データのアップロードを受け付けて、アップロードされた録画データを録画データ保存サーバ３に記憶させ、代行依頼機からの録画データダウンロード要求を受け付けて、録画データ保存サーバ３から録画データを取得して代行依頼機に送信してもよい。なお、上記実施形態において、同様の機能を示す構成には、同一の符号を付してある。
【符号の説明】
【００６８】
１：停電情報管理サーバ
２：録画予約情報管理サーバ
３：録画データ保存サーバ
４：インターネット
５（５ａ，５ｂ，５ｃ，・・・）：録画機
１１，２１，３１，５１：通信部
１２，２２，３２：制御部
１３：停電情報管理テーブル
２３：録画予約情報管理テーブル
３３：代行録画データ記憶部
５２：録画処理部
５３：録画予約テーブル
５４：停電時間記憶部
５５：録画データ記憶部
Ｘ：録画代行システム
【図１】
2013131881.tif 000003
【図２】
2013131881.tif 000004
【図３】
2013131881.tif 000005
【図４】
2013131881.tif 000006
【図５】
2013131881.tif 000007
【図６】
2013131881.tif 000008
【図７】
2013131881.tif 000009
【図８】
2013131881.tif 000010